(57)【特許請求の範囲】
【請求項１】
前面に断熱扉を備え他面が断熱材で覆われ、販売商品を収納搬出する商品収納搬出装置と、商品収納搬出装置から搬出された商品を前記断熱扉側に搬送する搬送手段と、庫内を冷却するための蒸発器とを収納する商品収納庫と、
当該商品収納庫の下方に形成され、冷媒を凝縮するための凝縮装置を収納する機械室と
前記機械室から前記商品収納庫内に延び、前記商品収納搬出装置に接続される電線と
前記機械室から前記商品収納庫内に延び、前記凝縮装置と前記蒸発器とを接続して冷媒を送る冷媒配管と、
前記凝縮装置と前記蒸発器と前記冷媒配管とを有する冷却ユニットとを備えた自動販売機において、
前記商品収納庫内の下面に溝部を形成し、前記冷却ユニットを組み込む前に、前記商品収納庫内の前記電線を該溝部内を通して配設し、前記商品収納庫内の前記冷媒配管を前記溝部内を通る電線の上方を横断するように配設したことを特徴とする自動販売機。
【請求項２】
前記搬送手段は、前記商品収納庫の前面側に向かって低く傾斜するシュートであることを特徴とする請求項１に記載の自動販売機。
【請求項３】
前記商品収納庫内の下面は、板金部材で形成され、前記溝部は、プレス加工によって前記商品収納庫の下面と一体に成型されていることを特徴とする請求項１乃至請求項２に記載の自動販売機。
【請求項４】
前記蒸発器配管と前記電線との間に配設されて前記溝部の少なくとも一部を覆うカバー部材を備え、当該カバー部材は前記商品収納庫下面に着脱可能に構成されていることを特徴とする請求項１乃至請求項３に記載の自販売機。
【請求項５】
前記商品収納庫を左右の収納室に区画する仕切板を備え、前記溝部は、前記左右の収納室に渡って延びるように形成されていることを特徴とする請求項１乃至請求項４に記載の自動販売機。
【発明の詳細な説明】
【０００１】
【発明の属する技術分野】
本発明は、蒸発器に冷媒を送り商品収納庫内を冷却する自動販売機に関する。
【０００２】
【従来の技術】
図４を用いて従来よりある自動販売機について説明する。図４は従来の自動販売機の本体側面断面図である。従来の自動販売機１００の本体２内には、図４に示すように、前面３ａが開口して他面が断熱材５で覆われた商品収納庫３と、商品収納庫３の外側下方に位置して圧縮機１１や凝縮器１２等を収納する機械室４が配設されている。商品収納庫３内には、販売商品を収納するとともに販売指示に基づき商品を１つづつ払出可能な商品収納搬出装置２０が複数設けられ、商品収納搬出装置２０の下方には前方に向かって低く傾斜し、払出された商品を前方に導く為のシュート６が設けられている。
【０００３】
このシュート６下方には、庫内奥側から庫内空気循環用の上下ダクト７と、上下ダクト７の前面に接続された蒸発器１３と、蒸発器１３の前面に接続されダクト部材として作用するファンケース１６と、ファンケース１６の前面に取り付けられたファンモータ１５とが設けられている。
【０００４】
また、商品収納庫３内の蒸発器１３と機械室４の圧縮機１１および凝縮器１２とは冷媒配管１４で連結されており、蒸発器１３に接続される庫内側冷媒配管１４ａは商品収納庫３内に配設されている。そして、この圧縮機１１と凝縮器１２と蒸発器１３と冷媒配管１４とで冷却ユニット１０が構成されている。
【０００５】
こうした構成の従来の自動販売機において、商品収納庫３内の冷却について説明する。図４の矢印はファンモータ１５によって生ずる風の流れを示したものである。矢印に示すようにファンモータ１５が回転することによって商品収納庫３内の空気は上下ダクト７から蒸発器１３を介して前方に送られる。このとき、コンプレッサ１１の運転により冷却された蒸発器１３の図示しないフィン間を庫内空気が通ることにより熱交換して冷気となって前方に送られるものである。前方に送られた空気はファンケース１６内を通り抜け、その後商品収納庫３の前面３ａに設けられた断熱扉９に沿って上方に流れて商品収納搬出装置２０を介して再び上下ダクト７へと吸い込まれることにより、商品収納庫３内を冷却するように構成されている。
【０００６】
このような構成の自動販売機については、たとえば、特開平６−８４０５８号等に開示されている。
【０００７】
【発明が解決しようとする課題】
こうした従来の自動販売機１００においては、冷却ユニット１０を組み込んだ後に、商品収納搬出装置２０に接続する電線８を図４に示すように庫内側冷媒配管１４ａの上部に配設し、図示しない結束バンドやワイヤークリップ等を用いて商品収納庫３内に取付処理する構成であった。
【０００８】
このように、庫内側冷媒配管１４ａ上部に電線８が配設処理されている場合、メンテナンスや故障等で冷却ユニット１０を前方に引き出すときには、電線８が邪魔になって蒸発器１３が前方に引き出せないため、結束バンドやワイヤークリップ等の取付処理をほどいて電線８を邪魔にならない位置にずらすか、或いは電線８を商品収納搬出装置２０から取り外さなければならないという煩わしさがあった。さらに、メンテナンス後には、冷却ユニット１０を組み入れた後に、再び電線８を取付処理し直さなければならず、こうした作業が極めて面倒であった。
【０００９】
本発明は、こうした課題を解決するためになされたものであり、冷却ユニットの着脱作業が容易な自動販売機を提供するものである。
【００１０】
【課題を解決するための手段】
請求項１の発明に係る自動販売機は、前面に断熱扉を備え他面が断熱材で覆われ、販売商品を収納搬出する商品収納搬出装置と、商品収納搬出装置から搬出された商品を前記断熱扉側に搬送する搬送手段と、庫内を冷却するための蒸発器とを収納する商品収納庫と、当該商品収納庫の下方に形成され、冷媒を凝縮するための凝縮装置を収納する機械室と、前記機械室から前記商品収納庫内に延び、前記商品収納搬出装置に接続される電線と、前記機械室から前記商品収納庫内に延び、前記凝縮装置と前記蒸発器とを接続して冷媒を送る冷媒配管と、前記凝縮装置と前記蒸発器と前記冷媒配管とを有する冷却ユニットとを備えた自動販売機において、前記商品収納庫内の下面に溝部を形成し、前記冷却ユニットを組み込む前に、前記商品収納庫内の前記電線を該溝部内を通して配設し、前記商品収納庫内の前記冷媒配管を前記溝部内を通る電線の上方を横断するように配設したことを特徴とするものである。
【００１１】
この構成によれば、蒸発器に接続される冷媒配管が電線の上方を横断するように配設されているので、電線を取り外すことなく蒸発器を商品収納庫外へ引き出すことができる。また、電線は溝部内を通して配設されるので、上方を横断する冷媒配管を上下方向直線的に形成することができる。
【００１２】
請求項２の発明に係る自動販売機は、請求項１の構成において、前記搬送手段は、前記商品収納庫の前面側に向かって低く傾斜するシュートであることを特徴とするものである。
【００１３】
この構成によれば、商品収納庫内下面の溝部内を通して電線が配設されているので、シュートをより低い位置に配設することができ、商品収納庫内の有効スペースを広げることができる。
【００１４】
請求項３の発明に係る自動販売機は、請求項１または請求項２の構成において、前記商品収納庫内の下面は、板金部材で形成され、前記溝部は、プレス加工によって前記商品収納庫の下面と一体に成型されていることを特徴とするものである。
【００１５】
この構成によれば、溝部が下面と一体成型されているため、部品点数が増えることが無く、コストを抑えることができる。
【００１６】
請求項４の発明に係る自動販売機は、請求項１乃至請求項３の構成において、前記蒸発器配管と前記電線との間に配設されて前記溝部の少なくとも一部を覆うカバー部材を備え、当該カバー部材は前記商品収納庫下面に着脱可能に構成されていることを特徴とするものである。
【００１７】
この構成によれば、蒸発器を商品収納庫内に出し入れする際に、蒸発器配管と電線とが擦れることがなく、電線の破損を防ぐことができる。
【００１８】
請求項５の発明に係る自動販売機は、請求項１乃至請求項４の構成において、前記商品収納庫を左右の収納室に区画する仕切板を備え、前記溝部は、前記左右の収納室に渡って延びるように形成されていることを特徴とするものである。
【００１９】
この構成によれば、溝部によって一方の庫内から他方の庫内に電線を通すことができる。
【００２０】
【発明の実施の形態】
以下、図面を参照しながら、本発明の実施形態を詳細に説明する。
【００２１】
図１は本発明の自動販売機１の本体側面断面図である。なお、従来の構成と同じものについては、従来の技術にて説明した符号と同一符号を付している。
【００２２】
図１に示すように、自動販売機１の本体２内には、商品収納庫３と、商品収納庫３の下方に形成された機械室４とが配設されている。商品収納庫３内には、販売商品を収納するとともに販売指示に基づき商品を１つづつ払出可能な商品収納搬出装置２０が複数設けられ、その下方には前方に向かって低く傾斜し、払出された商品を前方に導く為のシュート６（搬送手段）が設けられている。このシュート６の下方には庫内奥側から、庫内空気循環用の上下ダクト７と、上下ダクト７の前面に接続された蒸発器１３と、ファンケース１６と、ファンケース１６の前面に取り付けられたファンモータ１５とが配設され、また、蒸発器１３には商品収納庫３の前面３ａ付近を経由して機械室４の凝縮器１２につながる庫内側冷媒配管１４ａが接続されている。
【００２３】
図２は自動販売機１の本体平面断面図、図３は自動販売機１の本体正面図であり、共に断熱扉９を省略している。図２、図３に示すように、本実施の形態では商品収納庫３を２枚の仕切板４００で３庫内に区画した例を示しており、上述の上下ダクト７、蒸発器１３、ファンケース１６、ファンモータ１５は、それぞれ各庫内に配設されており、各庫内とも冷却可能に構成されている。
【００２４】
一方、図１に示す商品収納搬出装置２０及びシュート６も各庫内に配設されており、図２に示すようにそれぞれの庫内の商品収納搬出装置２０に駆動電力を供給するための電線８が、機械室４から商品収納庫３内に延出して配設されている。
【００２５】
商品収納庫３の下面３ｃは板金部材によって構成され、その前方には、左右方向に延びる溝部３０がプレス加工によって一体成型されている。電線８はこの溝部３０を通して配設されており、蒸発器１５に冷媒を送る庫内側冷媒配管１４ａは、この溝部３０の上方を横切るようにして配設される。
【００２６】
また、図２に示すように溝部３０、板金部材で形成されたカバー部材４０によって多くの部分が覆われるように構成されており、このカバー部材４０は、後端に形成された鍔部４０ａを商品収納庫３下面３ｃのスリット３００に差し込み、前部に形成された取付穴４０ｂを介して商品収納庫３下面３ｃにネジ止めすることにより取り付けられ、溝部３０を通る電線３０と庫内側冷媒配管１４ａとの間に配設されるようになっている。
【００２７】
溝部３０は、図２に示すように商品収納庫３の下面３ｃを左右方向に延び、各仕切板４００の下方を通って複数の庫内に渡って形成されている。このため、仕切板４００を切り欠かなくても、左庫内から右庫内まで電線３０を貫通させることができるようになっている。すなわち、機械室４から商品収納庫３への電線３０の入口３０ａを図２に示すように一つにすることができるようになっている。
【００２８】
機械室４には、凝縮器１２と、凝縮器１２を介して外気を吸い込む為のファンモータ２０と、圧縮機１１とが配設されており、この凝縮器１２及び圧縮機１１が凝縮装置として作用する。そしてこの凝縮器１２と、圧縮機１１と、上述した蒸発器１３とは冷媒配管１４によって接続され、冷媒回路を形成した冷却ユニット１０を構成している。
【００２９】
このように構成した自動販売機１の冷却動作について説明する。商品収納庫３内の温度が上がり、図示しない温度センサにて所定温度を検出すると、圧縮機１１が動作して冷媒回路内に冷媒を循環させる。この冷媒の循環によって冷却された蒸発器１３に対して、ファンモータ１５が回転することによって、図１の矢印に示す如く商品収納庫３内の空気は上下ダクト７を介して吸い込まれ、蒸発器１３へと送られる。そして蒸発器１３の図示しないフィン間を送られた空気が通ることにより熱交換が行われ冷気となって前方に送られるものである。前方に送られた空気は、図１の矢印の如くシュート６に形成された図示しない通風孔を通過してさらに前方に送られ、その後商品収納庫３の前面３ａに設けられた断熱扉９に沿って上方に流れて商品収納搬出装置２０を介して再び上下ダクト７の上部開口部（図示せず）から吸い込まれることにより庫内空気が熱交換されながら循環して、商品収納庫３内を冷却するようになっている。
【００３０】
次に、このように構成された自動販売機１において、冷却ユニット１０の取付作業について説明する。
【００３１】
先ず、冷却ユニット１０を自動販売機に取り付ける前に、電線８を商品収納庫内に配設する。図２、図３に示すように、電線８を機械室４から左庫内に引き込み、溝部３０を通して各庫内に配設し、各庫内の商品収納搬出装置２０に接続する。そして、溝部３０を通した電線８を覆うようにしてカバー部材４０を取付ける。
【００３２】
次に、冷却ユニット１０を取り付ける。冷却ユニット１０のユニットベース１０ａに載置された圧縮機１１、凝縮器１２，ファンモータ５０は機械室４に前方から挿入し、一方、蒸発器１３は、各商品収納庫３内に収納するべく前方から挿入することにより取付られる。なお、シュート６はこの冷却ユニット１０を取り付けた後に各庫内に取付ける。
【００３３】
この冷却ユニット１０の取付の際して、本発明では、電線８を商品収納庫３の溝部３０を通して配設しているため、蒸発器１３の挿入時に邪魔に成らず、作業を容易に行うことができるようになっている。さらに、カバー部材４０によって溝部３０を通る電線８の上面の大半が覆われた状態にあるため、蒸発器１３の挿入作業中に蒸発器１３や庫内側冷媒配管１４ａと電線８が擦れることがなく、電線８の破損を防ぐことができる。
【００３４】
また、電線８を溝部３０内に配設することによって、図１に示すように庫内側冷媒配管１４ａを商品収納庫３下面３ｃに沿って上下方向直線的に構成することができる。このため、蒸発器１３への冷媒の流れがスムーズになるとともに、冷媒中に混入した圧縮機１１の潤滑油が庫内側冷媒配管１４ａの途中で滞留することがない。さらに、従来のように庫内側冷媒配管１４ａ上に電線８が配設されないので、シュート６が商品の落下衝撃で撓んでもシュート６下面が電線８に接触することが無い。したがって、シュート６の取付位置をより低い位置にすることが可能となり、庫内スペースを有効利用できる。また、電線８がファンモータ１５による冷風の流れを遮ることがないため、冷気の循環がスムーズになる。
【００３５】
一方、メンテナンスや、故障等で冷却ユニット１０を引き出す場合には、逆の作業を行う。すなわち、先ず、各庫内のシュート６を取り外し、その後、冷却ユニット１０を前方に引き出すことによって取り外す。
【００３６】
この場合にも蒸発器１３及び庫内側配管１４ａが引き出される際に、カバー部材４０によって電線８との擦れが防止できるので、電線８の破損を防ぐことができるものである。
【００３７】
なお、本実施の形態では、カバー部材４０が図２に示すように溝部３０の一部を覆うように構成した例を示しているが、もちろんカバー部材４０が溝部３０全体を覆うように形成してもよい。
【００３８】
また、本実施の形態では、溝部３０が図２に示すように真横に向かって直線的に延びるように形成した例を示しているが、溝部３０は、商品収納庫３の下面３ｃを左右方向に延びるように形成したものであれば良く、蛇行したものでも、前後方向斜めのものでもよい。
【００３９】
【発明の効果】
本発明によれば、蒸発器に接続される冷媒配管が電線の上方を横断するように配設しているので、電線を取り外すことなく蒸発器を商品収納庫外へ引き出すことができる。また、電線は溝部内を通して配設されるので、上方を横断する冷媒配管を上下方向直線的に形成することができる。
【図面の簡単な説明】
【図１】本発明の自動販売機の本体側面断面図である。
【図２】本発明の自動販売機の本体平面断面図である。
【図３】本発明の自動販売機の本体正面図である。
【図４】従来の自動販売機の本体側面断面図である。
【符号の説明】
１      自動販売機
２      本体
３      商品収納庫
３ｃ    下面
４      機械室
５      断熱材
６      シュート（搬送手段）
７      上下ダクト
８      電線
９      断熱扉
１０    冷却ユニット
１１    圧縮機
１２    凝縮器
１３    蒸発器
１４    冷媒配管
１４ａ  庫内側冷媒配管
２０    商品収納搬出装置
３０    溝部
４０    カバー部材
４００  仕切板
【図１】
0004013464.tif 000002
【図２】
0004013464.tif 000003
【図３】
0004013464.tif 000004
【図４】
0004013464.tif 000005